【事件の表示】
　平成１１年特許願第　　６９８９号「グラフィカルユーザインタフェース表示装置」拒絶査定不服審判事件〔平成１１年１０月　８日出願公開、特開平１１−２７２３９１〕について、次のとおり審決する。
【結　論】
　本件審判の請求は、成り立たない。
【理　由】
第１　手続の経緯及び本願発明
　
１．手続の経緯
　
　本願は，平成１１年１月１３日（パリ条約に基づく優先権主張　１９９８年１月１３日　米国（ＵＳ））の出願であって，平成１９年１０月１５日付けで拒絶査定され，平成２０年１月１８日に拒絶査定不服審判の請求がなされるとともに同日付で手続補正書の提出がなされ，平成２２年９月１５日付けで当審から拒絶の理由が通知され，平成２３年３月１７日付けで意見書とともに手続補正書の提出がなされたものである。
　
２．本願発明
　
　本願の請求項１に係る発明（以下「本願発明」という。）は，平成２３年３月１７日付け手続補正書の特許請求の範囲の請求項１に記載された事項により特定される次のとおりのものである。
　
【請求項１】
　無線電話機用のグラフィカルユーザインタフェース表示装置において、
　表示画面と、
　上記表示画面に表示されたグラフィカルユーザインタフェースを構成するとともに、名前又は電話番号を表す複数のグラフィックイメージを移動させるための信号を生成する移動手段と
を備え
　上記グラフィックイメージそれぞれは、他のグラフィックイメージとは異なっており、上記グラフィックイメージの移動は、１つのグラフィックイメージを単位として、上記グラフィカルユーザインタフェース上で上下方向に行われ、
　グラフィカルユーザインタフェース表示装置は、さらに、
　ビットマップで表示された上記グラフィカルユーザインタフェース上において、上記グラフィックイメージ
それぞれ
個別に
所望の
において、所望の一つの
　上記移動手段からの信号に基づいて、上記複数のグラフィックイメージを移動させるとともに、上記選択領域に移動した
上記所望の１つの
　上記表示画面内の選択領域は、該表示画面の上下方向における中央の位置にあることを特徴とするグラフィカルユーザインタフェース表示装置。
（当審注　下線は請求人が付したものである。）
　
　
第２　引用例及び周知例
　
１．引用例及び引用発明
　
　当審から通知した拒絶の理由で引用した特開平８−３１７０３４号公報（以下「引用刊行物」という。）には，図面とともに次の事項が記載されている。
　
（１）
「【０００１】
【産業上の利用分野】本発明は、例えばジョグダイヤルを用いてイベントを連続して入力する場合に使用して好適な入力処理方法及び端末装置に関するものである。」（公報第２ページ第１欄）
　
（２）
「【００１３】上述の携帯電話装置には、このようなジョグダイヤル２９が設けられている。そこでこのような携帯電話装置において、上述のジョグダイヤル２９を用いた代表的な機能操作の一例を次に説明する。
【００１４】すなわち、例えば図６に示すように液晶ディスプレイ２６上に任意のファンクションのリスト（Ｆ0 、Ｆ1 、Ｆ2 ・・・）が表示されている場合に、ここでは中央の行のファンクション（Ｆ1 ）が選択されて、この行がブリンクされている。そこでジョグダイヤル２９を矢印Ａ（アップ）または矢印Ｂ（ダウン）の方向に回動操作することによって表示がスクロールされ、所望のファンクション（Ｆ）が中央の行に表示された状態で、ジョグダイヤル２９を矢印Ｄの方向に押す（クリックする）ことによって、指示された項目の選択を行うことができる。
【００１５】さらに
例えば上述のリストとして電話帳が表示されている場合には、上述のジョグダイヤル２９の回動操作によってブリンクされている中央の行に希望の通話相手を合わせ、ジョグダイヤル２９を押す（クリックする）ことによって、希望の通話相手への発呼を行うことができる。
【００１６】ところがこのような操作を行う場合に、装置に内蔵されるＣＰＵでは、例えば上述のジョグダイヤル２９の回動操作によって発生されるパルスの度に割り込み処理が発動されて上述の処理が行われている。その場合に、ジョグダイヤル２９の回動操作によって発生されるパルスは、例えば５〜８ｍｓｅｃ間隔で連続的に発生させることができる。」（公報第３ページ第３欄。下線は当審が付与。）
　
　上記の記載によれば，引用刊行物には次の発明（以下「引用発明」という。）が記載されている。
　
「ジョグダイヤルが設けられている携帯電話装置において，
　液晶ディスプレイ２６上に任意のファンクションのリスト（Ｆ0 ，Ｆ1 ，Ｆ2 ・・・）が表示されている場合に，中央の行のファンクション（Ｆ1 ）が選択されて，この行がブリンクされ，ジョグダイヤル２９をアップまたはダウンの方向に回動操作することによって表示がスクロールされ，所望のファンクション（Ｆ）が中央の行に表示された状態で，ジョグダイヤル２９を押す（クリックする）ことによって，指示された項目の選択を行うことができ，
　上述のリストとして電話帳が表示されている場合には，上述のジョグダイヤル２９の回動操作によってブリンクされている中央の行に希望の通話相手を合わせ，ジョグダイヤル２９を押す（クリックする）ことによって，希望の通話相手への発呼を行うことができ，
　装置に内蔵されるＣＰＵでは，上述のジョグダイヤル２９の回動操作によって発生されるパルスの度に割り込み処理が発動されて上述の処理が行われている
　携帯電話装置。」
　
２．周知例
　
（１）周知例１について
　当審から通知した拒絶の理由で引用した特開平８−３０５６９２号公報（以下「周知例１」という。）には，図面とともに次の事項が記載されている。
　
【０００１】
【産業上の利用分野】本発明は大量文字表示方式、特に大量の文字データを取り扱う場合により多くの文字データを画面に表示させる表示方式に関する。
【０００２】
【従来の技術】文書等の文字データを作成・編集・表示する機能を持つソフトウェアでは、読みやすい又は編集しやすいように文字サイズを一定の大きさで表示する。あるいは、より多くの文字データを表示する場合には、見やすさ等を多少犠牲にして全体を一定の縮小率で縮めて表示している。
【０００３】図９及び図１０は、Ａ４サイズ１頁の文書１を画面に表示する際の従来における表示形式を示した図である。文書１を一般的なＣＲＴ２に表示させる場合、読みやすい文字の大きさを維持したまま一画面内に文書全体を表示させることはできないので、図９に示したように文書１の一部分のみを表示し、表示されていない部分を見たいときにはスクロールバーやPageUp・PageDownキーを操作して表示画面を切り替えている。あるいは、文書内の全ての文字を一定の縮小率で小さくすることで、図１０に示したように文書全体を一画面内に表示させている。
【０００４】
【発明が解決しようとする課題】しかしながら、従来においては読みやすく編集しやすく表示することと、より多くの文字データを表示させることは、相反することであり同時には実現できなかった。
【０００５】また、いずれかの表示方式を行うためには、ユーザが目的に応じて切り替えなければならず、その切替操作は面倒である。
【０００６】また、読みやすく編集しやすい文字サイズで表示していればスクロールバー等の使用機会が増え、編集時間の無駄になる。一方、一定の縮小率で文字サイズを小さくした場合、文字が読みにくくなりまた編集作業に適しておらずユーザの目が疲労しやすくまた精神的な負担がかかってしまう。
【０００７】本発明は以上のような問題を解決するためになされたものであり、その目的は、文書編集作業時等において読みやすさ、編集のしやすさを維持したまま大量の文字を表示させる大量文字表示方式を提供することにある。
【０００８】
【課題を解決するための手段】以上のような目的を達成するために、
本発明における大量文字表示方式は、任意の文字サイズで表示可能な文字表示手段と、前記文字表示手段に表示させる文書の行数又は列数に基づいて表示する文字サイズを算出する文字サイズ決定手段と、を有し、文字サイズを多段階に表示させることを特徴とする。
【０００９】また、前記文字表示手段は、編集作業領域と未編集作業領域とに分割され、前記文字サイズ決定手段は、未編集作業領域に表示する文字サイズを編集作業領域に表示する編集可能な文字サイズより小さくすることを特徴とする。
【００１０】また、
前記文字サイズ決定手段は、未編集作業領域に表示する文字のサイズを編集作業領域から離れるに従い段階的に小さくすることを特徴とする。
【００１１】また、前記文字サイズ決定手段は、未編集作業領域に表示する文字のサイズを同一にすることを特徴とする。
【００１２】また、
前記編集作業領域は、１乃至複数の行又は列を含む
【００１３】また、
前記編集作業領域は、前記表示画面の中央に固定されている
【００１４】また、前記編集作業領域は、前記表示画面内で移動可能に設けられていることを特徴とする。
【００１５】また、表示する文字の並びを制御する文字並び制御手段を有することを特徴とする。
【００１６】また、前記文字並び制御手段は、行中央を基準にして文字を揃えて表示することを特徴とする。
【００１７】また、前記文字並び制御手段は、行の左端を基準にして文字を揃えて表示することを特徴とする。
【００１８】また、前記文字並び制御手段は、各行において文字を等間隔に並べて表示することを特徴とする。
【００１９】
【作用】以上のような構成を有する本発明に係る大量文字表示方式においては、文書の行数又は列数に基づいて表示する文字サイズを算出し、多段階の文字サイズで文字表示手段に表示させる。編集作業領域には、読みやすく編集しやすい文字サイズで表示し、未編集作業領域には、段階的により小さい文字サイズで表示させるようにしたので、編集作業の操作性を維持しつつより多くの文字データを一画面に表示させることができる。
【００２０】また、未編集作業領域に同一サイズで文字を表示させるようにすれば、文字サイズの縮小率の計算が容易であり、文書の画面への割付が高速にできる。
【００２１】また、編集作業領域及び未編集作業領域は行又は列方向に設けることができ、列方向に前記領域を設定すれば、横長の文書をも一画面に表示させることができる。
【００２２】また、編集作業領域は、画面中央に固定させても移動可能に設定してもよい。画面中央に設定すれば文書の前後を確認できる。また、移動可能に設定すれば文書をスクロールさせずに編集でき、またユーザは自由な位置で編集を行うことができる。
【００２３】また、各行又は列に表示される文字を中央あるいは左詰めにしたり、文字間隔を算出し等間隔に設定したりすることができる。
【００２４】
【実施例】以下、図面に基づいて、本発明の好適な実施例を説明する。
【００２５】実施例１．図１は、本発明に係る大量文字表示方式を採用するシステム構成図である。図１において、任意の文字サイズで表示可能な文字表示手段としてのＣＲＴ２と、ＣＲＴ２に表示させる文書の行数又は列数に基づいて表示する文字サイズを算出する文字サイズ決定手段としての文字サイズ決定部４と、表示する文字の並びを制御する文字並び制御手段としての文字並び制御部６と、各種設定を行ったり表示画面をスクロールさせたりカーソル移動を行うためのキーを有する入力手段としてのキーボード８と、を有する。なお、このシステムは、文書の作成・編集・表示を行うソフトウェアが搭載されている一般的なコンピュータにより実現され、文字サイズ決定部４及び文字並び制御部６は、ＣＰＵ及びＣＰＵで実行され後述する処理を行うアプリケーションにより実現される。
【００２６】図２は、文書１のデータイメージと文書１をＣＲＴ２に表示したときの画面例を示した図である。
本実施例においては、表示画面を文字編集を行うための編集作業領域１２と行わない未編集作業領域１４ａ、１４ｂとに分割して管理する。
【００２７】本実施例において特徴的なことは、ＣＲＴ２に表示させる行数に基づいて各行の文字サイズを算出し、その算出された文字サイズで各文字をＣＲＴ２に表示することである。本実施例では、図２に示した画面例のように、編集作業領域１２には通常使用する編集しやすい文字サイズで表示し、未編集作業領域１４ａ、１４ｂには編集作業領域１２に表示する編集可能な文字サイズより小さい文字サイズで表示する。
更に、未編集作業領域１４ａ、１４ｂに表示される文字は、計算により求めることができ、編集作業領域１２から離れるに従い小さく表示されることも特徴としている。このように文字サイズを多段階に分けて表示させることで、編集対象となる文字を見やすく編集しやすい文字サイズで表示でき
（公報第２ページ第２欄〜第３ページ第４欄）
　
（２）周知例２について
　当審から通知した拒絶の理由で引用した特開平８−１４９３８４号公報（以下「周知例２」という。）には，図面とともに次の事項が記載されている。
　
ア
【０００１】
【産業上の利用分野】本発明は、例えば多数の放送チャンネルのビデオ信号を受信する場合に用いて好適な画像表示制御装置に関する。
【０００２】
【従来の技術】テレビジョン受像機においては、所定の放送チャンネルを選択、指定することにより、所望の番組を視聴することができる。放送チャンネルが複数存在する場合、各放送チャンネルにおいて、どのような番組が放送されているのかを知るために、チャンネルサーチ機能が設けられている場合がある。
【０００３】我国では、ＶＨＦ帯で１２チャンネルが割り当てられているので、この種のテレビジョン受像機において、このチャンネルサーチ機能を指令すると、第１チャンネルから第１２チャンネルまでのうち、現在受信しているチャンネルの次のチャンネルが次々に、例えば３秒間ずつ順次自動的に受信、表示される。このサーチ動作は、サーチを開始する前のチャンネルが再び受信されたとき解除される。これにより、そのとき放送されている各チャンネルの番組の概要を知ることができる。
【０００４】
【発明が解決しようとする課題】しかしながら、このように、次々と異なる放送チャンネルを順次受信するようにすると、サーチしている期間、サーチ前に見ていた番組を全く見ることができなくなってしまう。また、一度に、１つの放送チャンネルの画像しか表示されないので、全ての放送チャンネルの画像を確認するのに時間がかかる。
【０００５】そこで、例えば図４１に示すように、現在見ている画面を親画面として表示し、その他のチャンネルを子画面として表示することが考えられる。しかしながら、この例においては、親画面と同時に表示することができる子画面の数は、僅かに３個だけである。
【０００６】そこで、子画面の数を、例えば図４２に示すように、５個に増やすことが考えられる。しかしながら、それでも、同時に見ることができる放送チャンネルの数は、６個にすぎない。
【０００７】いま、米国においては、ＭＰＥＧ（Ｍｏｖｉｎｇ  Ｐｉｃｔｕｒｅ  Ｅｘｐｅｒｔｓ  Ｇｒｏｕｐ）等の高能率符号化技術を応用して、ケーブルテレビジョン（ＣＡＴＶ：Ｃａｂｌｅ  Ｔｅｌｅｖｉｓｉｏｎ）やデジタル衛星放送（ＤＳＳ：Ｄｉｇｉｔａｌ  Ｓａｔｅｌｌｉｔｅ  Ｓｙｓｔｅｍ（Ｈｕｇｈｅｓ  Ｃｏｍｍｕｎｉｃａｔｉｏｎｓ社の商標））等の分野で、多チャンネル化が進行しており、そのチャンネル数は、例えば１５０乃至１７５チャンネルもの数となる。
【０００８】このようにチャンネル数が多くなると、図４２に示すように表示するようにしたとしても、各放送チャンネルの番組の内容を迅速に把握することは困難である。
【０００９】本発明はこのような状況に鑑みてなされたものであり、親画面を視聴しつつ、その他のチャンネルの番組内容を迅速かつ確実に確認することができるようにするものである。
【００１０】
【課題を解決するための手段】本発明の画像表示制御装置は、複数の放送チャンネルの信号を受信し、モニタ装置（例えば図１のモニタ装置４）に出力し、表示させる受信手段（例えば図３のチューナ２１Ａ，２１Ｂ）と、所定の放送チャンネルの信号を受信して、その画像をモニタ装置に親画面として表示させるとともに、複数の他の放送チャンネルの画像を子画面として表示させるモード（例えばブラウジングモード）を指令するとき操作されるモード指令手段（例えば図１２のＢＲＯＷＳＩＮＧボタンアイコン）と、
モード指令手段が操作されたとき、そのとき既に受信している放送チャンネルの画像を親画面としてモニタ装置に表示させるとともに、複数の他の放送チャンネルの画像を子画面として、子画面の大きさが、順次小さくなるように表示させる制御手段（例えば図３のピクチャインピクチャプロセッサ４５）と、子画面を異なる放送チャンネルの画像に順次変更するとき操作される変更操作手段（例えば図４の水平方向に操作される操作子５２）と、子画面のうちの所定のものを選択するとき操作される選択操作手段（例えば図４の垂直方向に操作される操作子５２）とを備えることを特徴とする。
【００１１】また、子画面を異なる放送チャンネルの画像に順次変更するとき操作される変更操作手段（例えば図４の水平方向に操作される操作子５２）をさらに設けることができる。
【００１２】
制御手段には、子画面を、モニタ装置の下方に水平に、その中央部において最も大きく表示し、左右の端部にいく程、小さく表示させるように（例えば図１８の表示画面のように）することができる。
【００１３】
あるいはまた、制御手段には、子画面を、モニタ装置の右辺または左辺に垂直に、その中央部において最も大きく表示し、上下の端部にいく程、小さく表示させるように（例えば図４０の表示画面のように）することができる
（公報第２ページ第１欄〜第３ページ第３欄）
　
イ
【００８３】図１７に示すように、この実施例においては、モニタ装置４のＣＲＴ４Ａ上において、親画面の下に基本的には合計１１個の子画面を、画面の下方に水平に表示する。
【００８４】１１個の子画面のうち、
中央に配置される子画面は、第Ｉチャンネルの子画面とされ、最も大きい画面で表示される。
その右側に順次表示される第Ｉ＋１乃至第Ｉ＋５チャンネルの子画面は、右端部にいく程、小さくなる
左側に表示される第Ｉ−１チャンネル乃至第Ｉ−５チャンネルの５つの子画面も、左端部にいく程、その画面が小さくなる
（公報第８ページ第１３欄）
　
ウ
【００９４】以上のようにして、合計１１個の子画面がピクチャインピクチャプロセッサ４５に記憶され、これが読み出されてモニタ装置４に表示される結果、モニタ装置４には、例えば図１８に示すような画像が表示される。同図に示すように、ピクチャインピクチャプロセッサ４５は、
子画面を、その大きさ（左右の幅）が、左右端部にいく程、小さく（狭く）なるように生成する
【００９５】尚、このとき、ＭＰＥＧビデオデコーダ２５Ｂは、中央の子画面上にカーソルＣを表示させる。
（公報第９ページ第１５欄）
　
エ
【０１０８】以上のようにして、中央の子画面として、第ｉ＋１チャンネルが表示され、その左側に、第ｉ乃至第ｉ−４チャンネルの子画面が表示され、右側に、第ｉ＋２チャンネル乃至第ｉ＋６チャンネルの子画面が表示される。
【０１０９】従って、例えば図１８に示す状態において、
操作子５２が左方向に操作された場合においては、モニタ装置４の表示画面は、図１９に示すように変化する。即ち、子画面がそれぞれ１子画面分だけ左側に移動
（公報第９ページ第１６欄）
　
オ
【０１２７】以上のようにして、例えば図２０に示す状態において、操作子５２がエンター操作されると、モニタ装置４の画像は、図２０に示す状態から図２１に示す状態に変化する。この実施例においては、カーソルＣで指定されている家の子画面の画像が親画面として表示されることになる。
（公報第１１ページ第１９欄）
　
カ
【０１８０】尚、以上の実施例においては、子画面を水平方向に表示するようにしたが、例えば図４０に示すように、
垂直方向に表示するようにすることも可能
（公報第１４ページ第２６欄）
　
（当審注　図４は公報第１８ページに，図１７，図１９は公報第２０ページに，図１８は公報第１９ページに，図２０，図２１は公報第２１ページに，図４０は公報第２６ページにぞれぞれ掲載されている。また，下線は当審が付与。）
　
　
第３　対比
　
　引用発明と本願発明を比較する。
　
・引用発明の「携帯電話装置」，「液晶ディスプレイ」はそれぞれ本願発明の「無線電話機」，「表示画面」に相当する。
　
・引用発明も本願発明と同様に「表示画面内の選択領域は、該表示画面の上下方向における中央の位置にあること」は明らかである。
　また，引用発明の「リストとして表示される電話帳」は本願発明の「名前又は電話番号をそれぞれ表す複数のグラフィックイメージ」に相当するものであることは明らかであり，引用発明の「ジョグダイヤル」を，アップまたはダウンの方向に
回動することによって表示がスクロールされ
　そうすると，引用発明の「ジョグダイヤル」は，本願発明の「表示画面に表示されたグラフィカルユーザインタフェースを構成するとともに、名前又は電話番号をそれぞれ表す複数のグラフィックイメージを、該グラフィカルユーザインタフェース上でグラフィックイメージ単位で上下方向に移動させるための信号を生成する移動手段」いえる。そして引用発明において「グラフィックイメージそれぞれは、他のグラフィックイメージとは異なっており、上記グラフィックイメージの移動は、１つのグラフィックイメージを単位として、上記グラフィカルユーザインタフェース上で上下方向に行われ」ること，また引用発明の「携帯電話装置」が「無線電話機用のグラフィカルユーザインターフェース表示装置」を備えていることは明白である。
　そしてまた，引用発明の「ＣＰＵ」と本願発明の「マイクロプロセッサ」はともに「移動手段からの信号に基づいて，複数のグラフィックイメージを移動させる」点で共通する。
　
　以上から，本願発明と引用発明は次の点で一致・相違する。
　
＜一致点＞
　無線電話機用のグラフィカルユーザインタフェース表示装置において、
　表示画面と、
　上記表示画面に表示されたグラフィカルユーザインタフェースを構成するとともに、名前又は電話番号を表す複数のグラフィックイメージを移動させるための信号を生成する移動手段と
を備え
　上記グラフィックイメージそれぞれは、他のグラフィックイメージとは異なっており、上記グラフィックイメージの移動は、１つのグラフィックイメージを単位として、上記グラフィカルユーザインタフェース上で上下方向に行われ、
　グラフィカルユーザインタフェース表示装置は、さらに、
　上記移動手段からの信号に基づいて、上記複数のグラフィックイメージを移動させるマイクロプロセッサとを備え、
　上記表示画面内の選択領域は、該表示画面の上下方向における中央の位置にあることを特徴とするグラフィカルユーザインタフェース表示装置。
　
＜相違点１＞
　「グラフィカルユーザインタフェース」の表示を本願発明は「ビットマップ」で表示するのに対して，引用発明にはこのように表示するとの記載がない点。
　
＜相違点２＞
　引用発明において，中央の行が選択領域であること，該中央の行の表示はブリンクされているのであるから他の行の表示と比べて最も目立つことは，明らかである。
　そうすると，本願発明と引用発明はともに「表示されたグラフィカルユーザインタフェース上」において「選択領域において、所望の一つのグラフィックイメージ」が「最も目立」つ表示をする機能を備える点で共通する。
　しかし，「選択領域において、所望の一つのグラフィックイメージ」が「最も目立」つ表示をする際に「グラフィックイメージそれぞれ」を，本願発明は「その移動に伴いサイズが個別に変化し、所望の１つのグラフィックイメージを選択するための選択領域に近づくに従い、そのサイズを大きくし、該選択領域から離れるに従い、そのサイズを小さくし，該選択領域において、所望の一つのグラフィックイメージのサイズが最大」となるようにし「他のグラフィックイメージを該選択領域との関係において様々な大きさで表示する」のに対して，引用発明には，グラフィックイメージそれぞれは「その移動に伴いサイズが個別に変化し、所望の１つのグラフィックイメージを選択するための選択領域に近づくに従い、そのサイズを大きくし、該選択領域から離れるに従い、そのサイズを小さく」すること，選択領域において所望の一つのグラフィックイメージの「サイズが最大となり」、「他のグラフィックイメージを該選択領域との関係において様々な大きさ」で表示することについて記載がなく，また，このように表示するための「サイズ変更手段」について記載がない点。
　
＜相違点３＞
　引用発明の「マイクロプロセッサ」には「選択領域に移動した所望の１つのグラフィックイメージを最大の大きさで表示する」ことの記載がない点。
　
　
第４　当審の判断
　
＜相違点１＞について
　グラフィカルユーザインタフェースの表示をビットマップで行うことは，一般的に行われている技術的事項であり，格別なものではない。
　
＜相違点２＞及び＜相違点３＞について
　表示画面に複数の項目を表示し，所望の項目を目立たせるために，「項目それぞれの移動に伴いサイズが個別に変化し，所望の項目を選択するための選択領域に近づくに従い，そのサイズを大きくし，該選択領域から離れるに従い，そのサイズを小さくし，該選択領域において，所望の項目のサイズが最大となるようにし，他の項目を該選択領域との関係において様々な大きさで表示する」ことは，周知（例えば，周知例１，２等参照。）であって，サイズが最大となった項目が最も目立つことは当然である。
　そして，本願発明と共通する「表示されたグラフィカルユーザインタフェース上において，選択領域において、所望の一つのグラフィックイメージが最も目立つ表示をする」機能を備える引用発明に対して，周知技術を適用し，「グラフィックイメージそれぞれ」を，本願発明は「その移動に伴いサイズが個別に変化し、所望の１つのグラフィックイメージを選択するための選択領域に近づくに従い、そのサイズを大きくし、該選択領域から離れるに従い、そのサイズを小さくし，該選択領域において、所望の一つのグラフィックイメージのサイズが最大」となるようにし「他のグラフィックイメージを該選択領域との関係において様々な大きさで表示する」のに対して，引用発明には，グラフィックイメージそれぞれは「その移動に伴いサイズが個別に変化し、所望の１つのグラフィックイメージを選択するための選択領域に近づくに従い、そのサイズを大きくし、該選択領域から離れるに従い、そのサイズを小さく」すること，選択領域において所望の一つのグラフィックイメージの「サイズが最大となり」、「他のグラフィックイメージを該選択領域との関係において様々な大きさ」で表示するようにすることは，当業者が容易に想到し得たものである。
　そして，相違点のように表示するため「サイズ変更手段」を設けることは，当業者がなすべき必要な技術的事項にすぎない。また「選択領域に移動した所望の１つのグラフィックイメージを最大の大きさで表示する」ことを「マイクロプロセッサ」によって行うようすることは当業者が適宜なし得た設計的事項にすぎない。
　
　
　上記のとおりであるから，相違点１ないし３のように構成することは，引用発明及び周知技術に基づいて，当業者が容易に想到し得たものである。
　そして，本願発明のように構成したことによる効果も，引用発明及び周知技術から予測できる程度のものである。
　
　
第５　むすび
　
　以上のとおりであるから，本願発明（平成２３年３月１７日付け手続補正書の特許請求の範囲の請求項１に記載された発明）は，引用発明及び周知技術に基づいて，当業者が容易に発明をすることができたものであり，特許法第２９条第２項に該当し，特許を受けることができない。
　したがって，他の請求項について論及するまでもなく，本願は拒絶すべきものである。
　
　よって，結論のとおり，審決する。